(57)【要約】【課題】  本発明は、電力線を電力の供給と、情報の伝達とに利用することができる使用電力監視方法および使用電力監視システムに関するものである。【解決手段】  本発明における複数の電子機器は、電力が供給される電力線を巻回したコアと同じコアに第１のコイルを巻回することによりそれぞれの電子機器で使用された使用電力が測定される。前記使用電力情報は、前記と同じコアに巻回された第２のコイルを介して電力線に重畳され、多重搬送される。前記使用電力情報は、一カ所で受信され、前記受信されたそれぞれの使用電力情報が対応するそれぞれの電子機器における基準電力と比較される。前記比較された前記使用電力情報は、前記基準電力内であるか否かを情報として前記電力線に重畳され、多重搬送により送信される。前記送信された情報は、前記第２のコイルを介して受信され、該当する電子機器を制御する。【選択図】    図１
2006191768.tif 000002
【特許請求の範囲】
【請求項１】
商用電源から電力が供給される複数の電子機器の使用電力を監視する使用電力監視方法において、
前記複数の電子機器のそれぞれの使用電力を電力線が巻回されているコアに巻回された第１のコイルにより測定し、
前記測定されたそれぞれの使用電力情報を前記コアに巻回された第２のコイルを介して電力線に重畳して多重搬送し、
それぞれの電子機器から搬送された使用電力情報を受信し、
前記それぞれの使用電力情報を対応するそれぞれの電子機器における基準電力と比較し、
前記基準電力内であるか否かを判断した後、前記電子機器に対して、基準電力内であるか否かの情報を前記電力線に重畳して多重搬送により送信し、
前記第２のコイルを介して受信した情報により該当する電子機器を制御することを特徴とする使用電力監視方法。
【請求項２】
商用電源から電力が供給される複数の電子機器と、それぞれの電子機器の電力を監視するとともに、前記監視した電力情報を送受信する送信装置および受信装置とから少なくとも構成されている複数の使用電力測定装置と、前記複数の使用電力測定装置からの情報を受信するとともに、前記情報が正常であるか否かを判断する一つの使用電力監視装置とから少なくとも構成されている使用電力監視システムにおいて、
前記複数の電子機器のそれぞれの使用電力を測定するために、それぞれの電力線が巻回されているコアに巻回された第１のコイルを備えた電圧監視装置と、
前記電圧監視装置により測定されたそれぞれの使用電力情報を前記コアに巻回された第２のコイルにより電力線に重畳して多重搬送するための送信装置と、
前記第２のコイルによって取得されるそれぞれの情報を受信する受信装置と、  前記受信装置によって受信された情報に基づいて前記電子機器を制御する中央制御装置と、
から少なくとも構成されている複数の使用電力測定装置；
前記複数の使用電力測定装置から搬送されてきたそれぞれの電子機器の使用電力情報を受信する受信手段と、
前記それぞれの使用電力情報に対応するそれぞれの電子機器における基準電力と比較判断する比較判断手段と、
前記比較判断手段により前記基準電力内であるか否かの情報を前記電力線に重畳して多重搬送により送信する送信手段と、
から少なくとも構成されている一つの使用電力監視装置；
を備えていることを特徴とする使用電力監視システム。
【請求項３】
前記使用電力監視装置における比較判断手段が異常であると判断した電子機器に対する使用電力測定装置に信号を送信し、前記使用電力測定装置における中央制御装置が当該電子機器への電力を停止することを特徴とする請求項２に記載された使用電力監視システム。
【請求項４】
前記送信手段から送信される信号は、電力線を介して直接電子機器と通信できることを特徴とする請求項２または請求項３に記載された使用電力監視システム。
【請求項５】
商用電源から電力が供給される複数の電子機器と、それぞれの電子機器の電力を監視する使用電力測定装置とからなる使用電力監視システムにおいて、
前記電子機器の使用電力を測定するために、電力線が巻回されているコアに巻回された第１のコイルを備えた電圧監視装置と、
前記電圧監視装置により監視された正常状態の使用電力を記憶する記憶装置と、
前記記憶装置に記憶された正常状態の電力と、前記電圧監視装置によって測定された使用電力情報を比較して、前記電子機器に異常があるか否かを判断する比較判断装置と、
前記比較判断装置により前記電子機器に異常があると判断した場合、前記電子機器の動作を停止する信号を送信する送信装置と、
から少なくとも構成されていることを特徴とする使用電力監視システム。
【請求項６】
前記送信装置は、有線、無線、赤外線、光のいずれか一つを用いて前記電子機器を停止させる機能を備えていることを特徴とする請求項５に記載された使用電力監視システム。
【発明の詳細な説明】
【技術分野】
【０００１】
本発明は、電力線を電力の供給と、情報の伝達とに利用することができる使用電力監視方法および使用電力監視システムに関するものである。また、本発明は、外部に設置されている使用電力監視装置と通信を行なう機能と、電力線から供給される電子機器の使用電力の測定を行なう機能とを有する電力線に重畳通信を用いた使用電力監視方法および使用電力監視システムに関するものである。
【背景技術】
【０００２】
たとえば、電源線を用いた電源重畳通信を行なう手段として、コイル等を用いて電源線に通信信号を重畳させる方法、および電源線より供給される電子機器の使用電力をコイル等を用いて測定する方法は、一般的である。しかし、前記電源重畳通信、使用電力の測定は、前記電源に対して別々のコイル等を用いて行なっており、部品数の増加、あるいは装置を設置する際の手間の増加等の問題があった。
【０００３】
現在使用中の電子機器における実際の消費電力を測定し、表示可能とする消費電力測定装置は、特開２００４−１０１５１８号公報として知られている。また、特開２００３−３４８７５７号公報は、使用者が使用中の電子機器における充電池を充電するための充電ステーションの予約ができる充電サービス方法がある。
【特許文献１】特開２００４−１０１５１８号公報
【特許文献２】特開２００３−３４８７５７号公報
【発明の開示】
【発明が解決しようとする課題】
【０００４】
しかし、前記電子機器における消費電力を測定、および充電池の充電電力は、電源の供給される線に関係がなく、電力の供給と測定が別々であり、一つのコイルから得るものではなかった。
【０００５】
以上のような課題を解決するために、本発明は、単一コア内にて、コイル１とコイル２を組み込み、電源線から電子機器に供給される電力をコイル１で検出し、前記電子機器の使用電力を前記コイル２を用いて外部に設置されている使用電力監視装置と多重搬送通信を行なう使用電力監視方法および使用電力監視システムを提供することを目的とする。
【課題を解決するための手段】
【０００６】
（第１発明）
第１発明の使用電力監視方法は、商用電源から電力が供給される複数の電子機器の使用電力を監視するものであり、前記複数の電子機器のそれぞれの使用電力を電力線が巻回されているコアに巻回された第１のコイルにより測定し、前記測定されたそれぞれの使用電力情報を前記コアに巻回された第２のコイルを介して電力線に重畳して多重搬送し、それぞれの電子機器から搬送された使用電力情報を受信し、前記それぞれの使用電力情報を対応するそれぞれの電子機器における基準電力と比較し、前記基準電力内であるか否かを判断した後、前記電子機器に対して、基準電力内であるか否かの情報を前記電力線に重畳して多重搬送により送信し、前記第２のコイルを介して受信した情報により該当する電子機器を制御することを特徴とする。
【０００７】
（第２発明）
第２発明の使用電力監視システムは、商用電源から電力が供給される複数の電子機器と、それぞれの電子機器の電力を監視するとともに、前記監視した電力情報を送受信する送信装置および受信装置とから少なくとも構成されている複数の使用電力測定装置と、前記複数の使用電力測定装置からの情報を受信するとともに、前記情報が正常であるか否かを判断する一つの使用電力監視装置とから少なくとも構成されており、前記複数の電子機器のそれぞれの使用電力を測定するために、それぞれの電力線が巻回されているコアに巻回された第１のコイルを備えた電圧監視装置と、前記電圧監視装置により測定されたそれぞれの使用電力情報を前記コアに巻回された第２のコイルにより電力線に重畳して多重搬送するための送信装置と、前記第２のコイルによって取得されるそれぞれの情報を受信する受信装置と、前記受信装置によって受信された情報に基づいて前記電子機器を制御する中央制御装置と、から少なくとも構成されている複数の使用電力測定装置；前記複数の使用電力測定装置から搬送されてきたそれぞれの電子機器の使用電力情報を受信する受信手段と、前記それぞれの使用電力情報に対応するそれぞれの電子機器における基準電力と比較判断する比較判断手段と、前記比較判断手段により前記基準電力内であるか否かの情報を前記電力線に重畳して多重搬送により送信する送信手段と、から少なくとも構成されている一つの使用電力監視装置；を備えていることを特徴とする。
【０００８】
（第３発明）
第３発明の使用電力監視システムは、第２発明の使用電力監視装置における比較判断手段が異常であると判断した電子機器に対する使用電力測定装置に信号を送信し、前記使用電力測定装置における中央制御装置が当該電子機器への電力を停止することを特徴とする。
【０００９】
（第４発明）
第４発明の使用電力監視システムは、第２発明または第３発明における送信手段から送信される信号が電力線を介して直接電子機器と通信できることを特徴とする。
【００１０】
（第５発明）
第５発明の使用電力監視システムは、商用電源から電力が供給される複数の電子機器と、それぞれの電子機器の電力を監視する使用電力測定装置とからなり、前記電子機器の使用電力を測定するために、電力線が巻回されているコアに巻回された第１のコイルを備えた電圧監視装置と、前記電圧監視装置により監視された正常状態の使用電力を記憶する記憶装置と、前記記憶装置に記憶された正常状態の電力と、前記電圧監視装置によって測定された使用電力情報を比較して、前記電子機器に異常があるか否かを判断する比較判断装置と、前記比較判断装置により前記電子機器に異常があると判断した場合、前記電子機器の動作を停止する信号を送信する送信装置とから少なくとも構成されていることを特徴とする。
【００１１】
（第６発明）
第６発明の使用電力監視システムは、第５発明の送信装置が有線、無線、赤外線、光のいずれか一つを用いて前記電子機器を停止させる機能を備えていることを特徴とする。
【発明の効果】
【００１２】
本発明によれば、分散して配置されている複数の電子機器からの使用電力情報を、前記それぞれの電子機器に供給している電力線を使用して一カ所の使用電力監視装置に送信することにより、安価で効率良く、使用電力を監視している。
【００１３】
本発明によれば、使用電力の測定と、測定された電力情報の搬送とを、電子機器に電源を供給する同じ電力線を介して一カ所に送信しているため、安価な使用電力監視システムとなる。また、電力線、使用電力を測定する第１のコイル、使用電力情報を送る第２のコイルは、単一のコアに巻回しているため、小型であり、設置の手間がかからず安価なものとなる。
【００１４】
本発明によれば、複数のコイルを単一のコア内に組み込むことにより、単一のコアにより、電源重畳通信および電力測定を行なうことが可能になり、電源重畳通信用、電力測定用と別々の装置を設置する必要がなく、装置の設置の手間を省くことが可能となる。
【００１５】
本発明によれば、それぞれの電子機器に電力を供給する電力線を利用することによりそれぞれの電子機器を集中管理することができるだけでなく、大きな事故を起こす前に電力の供給を止めることができる。
【００１６】
本発明によれば、使用電力測定装置によって、測定された使用電力の情報を判断することにより、互いに接続されている電力線を介して直接電子機器と通信することで、前記電子機器を制御することもできる。本発明によれば、前記使用電力測定装置に設置された受信装置を省略することができ、安価な使用電力監視システムとなる。
【００１７】
本発明によれば、電子機器と使用電力測定装置との通信は、無線、有線、赤外線、または光を使用することにより安価な装置に情報の送受信を可能にする。
【発明を実施するための最良の形態】
【００１８】
（第１発明）
第１発明の使用電力監視方法は、商用電源から電力が供給される複数の電子機器の使用電力状況を一カ所でまとめて監視するとともに、それぞれの電子機器を制御するものである。前記複数の電子機器は、電力が供給される電力線を巻回したコアと同じコアに第１のコイルを巻回することによりそれぞれの電子機器で使用された使用電力が測定される。前記測定されたそれぞれの使用電力情報は、前記と同じコアに巻回された第２のコイルを介して電力線に重畳され、多重搬送される。
【００１９】
それぞれの電子機器から多重搬送されて来た使用電力情報は、一カ所で受信され、前記受信されたそれぞれの使用電力情報が対応するそれぞれの電子機器における基準電力と比較される。前記比較された前記使用電力情報は、前記基準電力内であるか否かを情報として前記電力線に重畳され、多重搬送により送信される。前記送信された情報は、前記第２のコイルを介して受信される。前記受信した情報は、該当する電子機器を制御する。
【００２０】
第１発明の使用電力監視方法は、たとえば、分散して配置されている複数の電子機器からの使用電力情報を、前記それぞれの電子機器に供給している電力線を使用して一カ所の使用電力監視装置に送信することにより、安価で効率良く、使用電力を監視している。
【００２１】
（第２発明）
第２発明の使用電力監視システムは、複数の電子機器と、それぞれの電子機器における使用電力を測定する使用電力測定装置と、前記複数の使用電力測定装置の使用電力を判別する使用電力監視装置とから少なくとも構成されている。前記電子機器は、家屋やビル等に分散して設置されている商用電源から電力が供給される複数の同じ装置または異なる種類の装置である。前記使用電力測定装置は、それぞれの電子機器毎に使用電力が監視される電圧監視装置と、送受信装置と、前記電子機器を制御する中央制御装置とから構成されている。また、前記使用電力監視装置は、複数の使用電力測定装置からの情報を受信するとともに、前記情報が正常であるか否かを判断することができる。
【００２２】
前記電圧監視装置は、前記複数の電子機器のそれぞれの使用電力を測定するために、それぞれの電子機器に電力を供給する電力線が巻回されているコアに巻回された第１のコイルを備えている。前記送信装置は、前記電圧監視装置により測定された電子機器の使用電力情報を前記と同じコアに巻回された第２のコイルにより電力線多重搬送する。また、使用電力測定装置における受信装置は、前記第２のコイルによって取得されるそれぞれの情報を受信する。前記中央制御装置は、前記受信装置によって受信された情報に基づいて前記電子機器を制御する。
【００２３】
前記使用電力監視装置は、それぞれの電子機器からの使用電力情報を受信する受信手段と、前記それぞれの電子機器の基準電力と比較判断する比較判断手段と、前記判断結果を送信する送信手段とから少なくとも構成されている。前記比較判断手段は、前記それぞれの使用電力情報に対応するそれぞれの電子機器における予め記憶されている基準電力と、前記送信されてきたそれぞれの電子機器における使用電力情報とを比較して、前記基準電力内であるか否かを判断する。前記送信手段は、基準電力内であるか否かの情報を前記電力線に重畳して多重搬送により送信する。
【００２４】
本発明の使用電力監視システムは、使用電力の測定と、測定された電力情報の搬送とを、電子機器に電源を供給する同じ電力線を介して一カ所に送信しているため、安価な使用電力監視システムとなる。また、電力線、使用電力を測定する第１のコイル、使用電力情報を送る第２のコイルは、単一のコアに巻回しているため、小型であり、設置の手間がかからず安価なものとなる。    
【００２５】
（第３発明）
第３発明の使用電力監視システムは、使用電力監視装置における比較判断手段が異常であると判断した電子機器に対する使用電力測定装置に信号を送信する。前記使用電力測定装置における中央制御装置は、前記受信装置によって受信した情報を当該電子機器へ送ることにより、電力の供給を停止する。前記使用電力監視システムは、それぞれの電子機器に電力を供給する電力線を利用することによりそれぞれの電子機器を集中管理することができるだけでなく、大きな事故を起こす前に電力の供給を止めることができる。
【００２６】
（第４発明）
第４発明の使用電力監視システムは、使用電力監視装置の送信手段から送信された信号を一旦、使用電力測定装置で受信することなく、互いに接続されている電力線を介して直接電子機器と通信することで、前記電子機器を制御することができる。前記使用電力測定装置に設置された受信装置を省略することができ、安価な使用電力監視システムとなる。
【００２７】
（第５発明）
第５発明の使用電力監視システムは、商用電源から電力が供給される複数の電子機器と、それぞれの電子機器の電力を監視する使用電力測定装置とから少なくとも構成されている。前記使用電力測定装置は、電圧監視装置と、使用電力を記憶する記憶装置と、前記電子機器に異常があるか否かを判断する比較判断装置と、前記電子機器に異常情報を送信する送信装置とから少なくとも構成されている。前記電圧監視装置は、前記電子機器の使用電力を測定するために、電力を供給する電力線が巻回されているコアに巻回された第１のコイルを備えている。
【００２８】
前記記憶装置は、前記電圧監視装置により監視された正常状態の使用電力を記憶する。前記比較判断装置は、前記記憶装置に記憶された正常状態の電力情報と、前記電圧監視装置によって測定された実際に使用されている使用電力情報とを比較して、前記電子機器に異常があるか否かを判断する。前記送信装置は、前記比較判断装置により前記電子機器に異常があると判断した場合、前記電子機器の動作を停止する信号を送信する。第５発明の使用電力監視システムは、前記電子機器の近傍に配置した使用電力測定装置により、使用状態を監視し、異常の場合に直ちに、前記電子機器を制御することができる。
【００２９】
（第６発明）
第６発明の使用電力監視システムは、有線、無線、赤外線、光のいずれか一つを用いて前記電子機器を停止さる機能を備えている。有線を使用する送信装置は、前記電子機器に電力を供給する電力線に巻回された第２のコイルを介して送信できる。無線を使用する送信装置は、前記電子機器に無線を受信できる受信装置を備える必要がある。また、前記赤外線または光は、赤外線センサーあるいはフォトカプラー等を使用することにより送受信を可能にする。
【実施例１】
【００３０】
図１は本発明の第１実施例である使用電力監視システムを説明するための概略ブロック構成図である。図１において、使用電力監視システムは、複数の電子機器１、２、・・・ｎと、電源線４と、使用電力測定装置６、７、・・・ｍと、前記電源線４に巻回されたコイル１およびコイル２、・・・からなる電圧検出装置１５、２５、・・・３５と、一つの使用電力監視装置５とから構成されている。
【００３１】
前記使用電力測定装置６は、電圧監視装置１１と、送信装置１２と、受信装置１３と、中央制御装置（ＣＰＵ）１４とから構成されている。使用電力測定装置７、・・・ｍも同様な構成からなる。前記電子機器１は、前記コイル１を介して使用電力状態を電圧監視装置１１によって得る。前記電圧監視装置１１によって得られた使用電力は、ＣＰＵ１４の制御の基に送信装置１２から、コイル２を介して使用電力監視装置５に送信される。他の送信装置２２、・・・３２は、同様に、各電子機器２、・・・ｎからのそれぞれ使用電力情報をコイルを介して電源線４に重畳して、前記使用電力監視装置５に送信する。
【００３２】
前記使用電力監視装置５は、それぞれの電子機器１、２、・・・ｎから送信されて来た使用電力情報に基づいて前記電子機器１、２、・・・ｎに異常があるか否かを調べ、その結果を電源線４に重畳して送信する。前記送信された情報は、コイルと受信装置１３、２３、・・・３３によって受信され、ＣＰＵ１４、２４、・・・３４の制御のもとに前記電子機器１、２、・・・ｎを制御する。
【００３３】
図２は本発明の第１実施例である使用電力監視装置を説明するためのブロック構成図である。図２において、電子機器１用使用電力監視部は、受信回路５１１と、復調回路５１２と、第１記憶回路５１３と、比較回路５１４と、基準電圧記憶回路５１５と、閾値電圧記憶回路５１６と、判別回路５１７と、第２記憶回路５１８と、変調回路５１９と、送信回路５２０と、各回路を制御する制御回路５２１とから少なくとも構成されている。また、使用電力監視装置５は、電子機器１、２、・・・ｎにそれぞれ対応して備えており、受信回路５１１および送信回路５２０等は、兼用することができる。
【００３４】
代表して、電子機器１用使用電力監視部を説明する。受信回路５１１は、前記使用電力測定装置６から送信された使用電力情報を受信する。復調回路５１２は、電源線４に重畳した前記使用電力情報を復調する。第１記憶回路５１３は、必要に応じて設けられるものであり、前記使用電力情報が記憶される。基準電圧記憶回路５１５は、当該電子機器１の通常動作中の使用電力情報が予め記憶されている。比較回路５１４は、前記第１記憶回路５１３に記憶された現時点における使用電力情報と、予め記憶されている正常状態の電力情報とを比較する。
【００３５】
閾値電圧記憶回路５１６は、前記比較回路５１４によって検出した結果、正常あるいは異常を決める閾値が予め記憶されている。判別回路５１７は、前記比較回路５１４の比較結果と、前記閾値電圧記憶回路５１６の値を見て判断する。前記判断結果は、必要に応じて、第２記憶回路５１８に記憶される。前記第２記憶回路５１８に記憶された情報は、変調回路５１９によって変調され、送信回路５２０から送信される。なお、前述の使用電力測定装置６、７、・・・ｍにおける送信装置１２、２２、・・・３２、および受信装置１３、２３、・・・３３も同様に、復調装置から変調装置等までを備えている。
【００３６】
図３は本発明の第１実施例である使用電力監視システムを説明するためのフローチャートである。図２および図３において、使用電力測定装置６における電圧監視装置１１は、電子機器１の使用電圧を検出する（ステップ３１１）。前記使用電圧は、電子機器１における使用電力情報となり、送信装置１２における変調回路５１９により変調され、コイル２を介して電源線４に重畳され、使用電力監視装置５に送信される（ステップ３１２）。前記送信された使用電力情報は、使用電力監視部における受信回路５１１により受信される（ステップ３１３）。
【００３７】
制御回路５２１は、前記使用電力情報が電子機器１のものであるか否かを調べる（ステップ３１４）。前記制御回路５２１は、前記使用電力情報が電子機器１のものであると判断した場合、前記使用電力情報を復調する（ステップ３１５）。復調された使用電力情報は、基準電圧記憶回路５１５に予め記憶されている正常状態における使用電力情報と比較される（ステップ３１６）。前記判別回路５１７は、前記比較された使用電力情報と、予め閾値電圧記憶回路５１６に記憶されている閾値情報とに基づいて、閾値電圧を超えたか否かを調べる（ステップ３１７）。
【００３８】
前記判別回路５１７は、前記電圧情報が閾値電圧を超えたと判断した場合、前記情報を変調回路５１９によって変調する（ステップ３１８）。その後、前記情報は、送信回路５２０によって電源線４に重畳されて使用電力測定装置６に送信される（ステップ３１９）。前記使用電力測定装置６は、前記電子機器１の送信情報を受信装置１３（図１参照）によって受信する（ステップ３２０）。前記受信装置１３によって受信された情報は、図示されていない使用電力測定装置６に設けられた表示装置に表示することによって使用者に危険を知らせることができる（ステップ３２３）。
【００３９】
前記受信装置１３により受信した情報は、前記ＣＰＵ１４を介して電子機器１に送信される（ステップ３２１）。前記電子機器１に対する送信は、有線、無線、赤外線、光によって行なうことができる。前記電子機器１は、前記情報を受け取ることにより、電源を停止または電圧を低下等の制御を行なうことができる（ステップ３２２）。前記ステップ３１７において、前記制御回路５２１が送信されてきた使用電力情報を基準電圧と比較した結果、閾値電圧を越えていないと判断した場合、前記使用電力情報が正常であるという情報を作成して、前記電子機器１の使用電力測定装置６に送る（ステップ３２４）。
【００４０】
前記ステップ３１４において、前記制御回路５２１は、送られて来た使用電力情報が電子機器１のものではないと判断した場合、前記使用電力情報が電子機器２のものであるか否かを調べる（ステップ３２５）。その後、ステップ３２６以降は、ステップ３１５以降と同じである。前記ステップ３２５において、前記制御回路５２１は、前記使用電力情報が電子機器２のものではないと判断した場合、前記と同じ処理を繰り返す（ステップ３２７、３２８）。
【実施例２】
【００４１】
図４は本発明の第２実施例である使用電力監視装置を説明するためのブロック構成図である。図４において、電子機器１用使用電力監視部は、閾値が電圧レベル記憶回路５２２と、指令記憶回路５２３とを有する点で、第１実施例と異なっている。前記電圧レベル記憶回路５２２は、複数の閾値を電圧レベルとして予め記憶しておく。すなわち、前記予め記憶されている電圧レベルは、判別回路５１７により判別され、たとえば、電子機器の電源を停止するレベル、前記電源電圧を低下させるレベル、長期間放置すると危険であることを知らせるアラームを表示するレベル、あるいは問題のないレベル等に分けることができる。前記指令記憶回路は、前記複数の電圧レベルが前記指令として送信されるようにするためのもので、前記電圧レベルと対応している。
【実施例３】
【００４２】
図５は本発明の第３実施例である使用電力測定装置を説明するためのブロック構成図である。図５において、第３実施例における使用電力測定装置６は、前記使用電力監視装置５に備えられている比較回路６１４、基準電圧記憶回路６１５、閾値電圧記憶回路６１６、判別回路６１７等から少なくとも構成されている点で、第１実施例と異なっている。すなわち、第３実施例における使用電力測定装置６は、電圧監視装置６１１によって電子機器の使用電力情報を得た後、送信装置により使用電力監視装置５に送信する必要がなく、自分の所で処理し、電子機器１に結果を送信することができる。前記第３実施例は、各使用電力測定装置からの使用電力情報を一カ所にまとめる必要がなく、その場で処理することができる。
【実施例４】
【００４３】
図６は本発明の第４実施例である電子機器を説明するためのブロック構成図である。図７は本発明の第４実施例の他の例である電子機器を説明するためのブロック構成図である。図６および図７において、第４実施例における電子機器１は、電源回路６１と負荷６３との間にスイッチング回路６２が設けられている。また、前記電子機器１は、使用電力監視装置５または使用電力測定装置６の送信回路５２０、６１９からの情報を受信する受信制御回路６４が設けられている。前記使用電力監視装置５または使用電力測定装置６は、前記電子機器１における電圧を監視することにより、使用電力を判断し、受信制御回路６４に結果を送信する。前記受信制御回路６４は、前記判断結果により、スイッチング回路６２を遮断、電圧レベルを上昇あるいは降下させるように制御する。
【産業上の利用可能性】
【００４４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。電子機器における電圧の監視は、たとえば、一つのトロイダルコイルに電力線、コイル１、およびコイル２を巻回することで達成できる。さらに、本発明は、使用電力で説明したが、電圧または電流に注目して処理することもできる。
【図面の簡単な説明】
【００４５】
【図１】本発明の第１実施例である使用電力監視システムを説明するための概略ブロック構成図である。（実施例１）
【図２】本発明の第１実施例である使用電力監視装置を説明するためのブロック構成図である。（実施例１）
【図３】本発明の第１実施例である使用電力監視システムを説明するためのフローチャートである。（実施例１）
【図４】本発明の第２実施例である使用電力監視装置を説明するためのブロック構成図である。（実施例２）
【図５】本発明の第３実施例である使用電力測定装置を説明するためのブロック構成図である。（実施例３）
【図６】本発明の第４実施例である電子機器を説明するためのブロック構成図である。。（実施例４）
【図７】本発明の第４実施例の他の例である電子機器を説明するためのブロック構成図である。（実施例４）
【符号の説明】
【００４６】
１、２、・・・、ｎ・・・電子機器
１１、２１、３１・・・電圧監視装置
１２、２２、３２・・・送信装置
１３、２３、３３・・・受信装置
１４、２４、３４・・・ＣＰＵ（中央制御装置）
１５、２５、３５・・・電圧検出装置
４・・・電源線
５・・・使用電力監視装置
５１１・・・受信回路
５１２・・・復調回路
５１３・・・第１記憶回路
５１４・・・比較回路
５１５・・・基準電圧記憶回路
５１６・・・閾値電圧記憶回路
５１７・・・判別回路
５１８・・・第２記憶回路
５１９・・・変調回路
５２０・・・送信回路
５２１・・・制御回路
５２２・・・電圧レベル記憶回路
５２３・・・指令記憶回路
６、７、・・・、ｍ・・・使用電力測定装置
【図１】
2006191768.tif 000003
【図２】
2006191768.tif 000004
【図３】
2006191768.tif 000005
【図４】
2006191768.tif 000006
【図５】
2006191768.tif 000007
【図６】
2006191768.tif 000008
【図７】
2006191768.tif 000009